(57)【要約】【課題】  情報処理装置の動作状態等に影響されることなく、複数の並行録画における、表示灯による録画状態の可視化表示を正確に行う。【解決手段】  放送受信カード１２０から受信した放送データ１３０を外部記憶装置１０８に録画データ１３１として録画するとき、録画ＬＥＤ１１２にて録画状態を可視化表示する情報処理装置１００において、録画ＬＥＤ１１２を制御する録画ＬＥＤ制御プログラム３１およびカウンタ３２をＢＩＯＳ３０の内部に設け、複数の並行した録画処理において、録画開始毎にカウンタ３２をインクリメントし、録画終了毎にデクリメントし、カウンタ３２が１以上の時に録画ＬＥＤ１１２を点灯させ、０以下のときに消灯させる。カウンタ３２をＢＩＯＳ３０内に設けたので、情報処理装置１００の異常終了等の影響を受けずに、確実にカウンタ３２を初期化でき、録画ＬＥＤ１１２による正確な録画表示を実現できる。【選択図】図１
2007065932.tif 000002
【特許請求の範囲】
【請求項１】
受信した放送番組の録画を行う録画手段と、
前記録画が実行中か否かを可視化して表示する録画表示灯と、
ＢＩＯＳ（Basic Input Output System）の一部に設けられ、前記録画表示灯の点灯および消灯を制御する録画表示灯制御手段と、
を含むことを特徴とする情報処理装置。
【請求項２】
請求項１記載の情報処理装置において、
前記録画表示灯制御手段は、
前記録画手段からの前記録画の開始通知によって１だけ加算され、前記録画の終了通知によって１だけ減算されるカウンタと、
前記カウンタの値が１以上の場合に前記録画表示灯を点灯させ、前記カウンタの値が０以下の場合には、当該カウンタを０に初期化するとともに前記録画表示灯を消灯させる制御論理と、
を含むことを特徴とする情報処理装置。
【請求項３】
請求項１記載の情報処理装置において、
前記情報処理装置は、放送受信機能を備えたパーソナルコンピュータであることを特徴とする情報処理装置。
【請求項４】
受信した放送番組の録画を行う録画手段と、
前記録画が実行中か否かを可視化して表示する録画表示灯と、
ＢＩＯＳ（Basic Input Output System）と、
を含む情報処理装置の制御方法であって、
前記ＢＩＯＳの一部に、前記録画表示灯の点灯および消灯を制御する録画表示灯制御手段を設けるステップと、
前記録画表示灯制御手段が、前記録画手段からの前記録画の開始通知によってカウンタを１だけ加算し、前記録画の終了通知によって前記カウンタを１だけ減算するステップと、
前記録画表示灯制御手段が、前記カウンタの値が１以上の場合に前記録画表示灯を点灯させ、前記カウンタの値が０以下の場合には、当該カウンタを０に初期化するとともに前記録画表示灯を消灯させるステップと、
を含むことを特徴とする情報処理装置の制御方法。
【請求項５】
請求項４記載の情報処理装置の制御方法において、
前記情報処理装置は、放送受信機能を備えたパーソナルコンピュータであることを特徴とする情報処理装置の制御方法。
【発明の詳細な説明】
【技術分野】
【０００１】
本発明は、情報処理技術に関し、特に、録画機能等の入出力機能を備えたパーソナルコンピュータ等の情報処理装置における表示灯の制御に適用して有効な技術に関する。
【背景技術】
【０００２】
たとえば、パーソナルコンピュータ（以下、ＰＣと略記する）等の情報処理装置における高性能化、多機能化への要求に呼応して、近年、ＰＣに放送受信機能および受信した放送の録画機能を備えたものが出現している（たとえば特許文献１）。
【０００３】
このような録画機能を備えたＰＣでは、録画中か否かをユーザに知らせるための表示灯として、録画ＬＥＤ（Light Emitting Diode）を設け、録画中に録画ＬＥＤを点灯させることで、ユーザが誤って録画を中断させるような電源切断等の操作を行わない構成とすることが考えられる。
【０００４】
ところで、最近のＰＣは複数の録画処理を並行して実行できるものも登場しているが、録画中を示す録画ＬＥＤの表示制御が複数の録画に対応しておらず、結果として複数の録画処理時の録画ＬＥＤの表示は行われていなかった。
【０００５】
複数の並行録画時の録画ＬＥＤの表示制御方法としては、たとえば、商用ＯＳ（Operating System）のレジストリ（ハードウェア構成やデバイスドライバ情報、アプリケーション情報など、ＰＣのシステムに関わる一切の情報を記録しているデータベース）の一部に管理情報を設け、この管理情報にオペレーティングシステムの一部を構成するドライバプログラムがアクセスすることで録画ＬＥＤの点滅を制御する方法が考えられる。
【０００６】
しかしながら、このドライバプログラムによる録画ＬＥＤの制御方法では、ＰＣの起動時、終了時、異常終了時等に管理情報の値が狂うため、複数の並行録画における録画ＬＥＤの正確な点滅管理が困難になるという技術的課題がある。また、あえてこの方法で複数の並行録画時の録画ＬＥＤの表示制御を行う為には、レジストリ等に記憶されている管理情報の補正を行うための補正プログラムを別途設けねばならず、録画ＬＥＤの制御が必要以上に複雑になる、という別の技術的課題を生じる。
【０００７】
更に、ＰＣ用の汎用マイクロプロセッサの高性能化により、今後、仮想技術により１つのＰＣ上に、たとえば互いに異なるオペレーティングシステムを持つ複数の仮想システムが構築される場合も予想されるが、オペレーティングシステムに依存したドライバプログラムのレベルでの録画ＬＥＤの管理では、個々の仮想システムで実行される複数の録画の管理を正確に行うことができなくなる。
【０００８】
なお、特許文献２では、ＬＣＤ（Liquid Cell Display）駆動装置内に、ＬＣＤコントローラとＢＩＯＳ（Basic Input Output System）を設け、接続されるＬＣＤの種類に応じて、ＢＩＯＳがＬＣＤコントローラに駆動方式を設定することで、一つのＬＣＤ駆動装置にて複数種のＬＣＤの制御を可能にしようとする技術が開示されているが、上述の録画ＬＥＤの制御については全く開示されていない。
【特許文献１】特開２００１−１８６４２３号公報
【特許文献２】特開２００１−３３７５５号公報
【発明の開示】
【発明が解決しようとする課題】
【０００９】
本発明の目的は、情報処理装置の動作状態等に影響されることなく、複数の並行録画における、表示灯による録画状態の可視化表示を正確に行うことが可能な情報処理装置を提供することにある。
【００１０】
本発明の他の目的は、仮想システムが稼働する情報処理装置において、複数の並行録画における、表示灯による録画状態の可視化表示を正確に行うことが可能な情報処理装置を提供することにある。
【課題を解決するための手段】
【００１１】
本発明の第１の観点は、受信した放送番組の録画を行う録画手段と、
前記録画が実行中か否かを可視化して表示する録画表示灯と、
ＢＩＯＳ（Basic Input Output System）の一部に設けられ、前記録画表示灯の点灯および消灯を制御する録画表示灯制御手段と、
を含む情報処理装置を提供する。
【００１２】
本発明の第２の観点は、受信した放送番組の録画を行う録画手段と、
前記録画が実行中か否かを可視化して表示する録画表示灯と、
ＢＩＯＳ（Basic Input Output System）と、
を含む情報処理装置の制御方法であって、
前記ＢＩＯＳの一部に、前記録画表示灯の点灯および消灯を制御する録画表示灯制御手段を設けるステップと、
前記録画表示灯制御手段が、前記録画手段からの前記録画の開始通知によってカウンタを１だけ加算し、前記録画の終了通知によって前記カウンタを１だけ減算するステップと、
前記録画表示灯制御手段が、前記カウンタの値が１以上の場合に前記録画表示灯を点灯させ、前記カウンタの値が０以下の場合には、当該カウンタを０に初期化するとともに前記録画表示灯を消灯させるステップと、
を含む情報処理装置の制御方法を提供する。
【００１３】
本発明の第３の観点は、情報の入出力を行う入出力手段と、
前記入出力が実行中か否かを可視化して表示する表示灯と、
ＢＩＯＳ（Basic Input Output System）の一部に設けられ、前記表示灯の点灯および消灯を制御する表示灯制御手段と、
を含む情報処理装置を提供する。
【００１４】
本発明の第４の観点は、情報の入出力を行う入出力手段と、
前記入出力が実行中か否かを可視化して表示する表示灯と、
ＢＩＯＳ（Basic Input Output System）と、
を含む情報処理装置の制御方法であって、
前記ＢＩＯＳの一部に、前記表示灯の点灯および消灯を制御する表示灯制御手段を設けるステップと、
前記表示灯制御手段が、前記入出力手段からの前記入出力の開始通知によってカウンタを１だけ加算し、前記入出力の終了通知によって前記カウンタを１だけ減算するステップと、
前記表示灯制御手段が、前記カウンタの値が１以上の場合に前記録画表示灯を点灯させ、前記カウンタの値が０以下の場合には、当該カウンタを０に初期化するとともに前記録画表示灯を消灯させるステップと、
を含む情報処理装置の制御方法を提供する。
【００１５】
上記した本発明によれば、ハードウェアの初期化や制御を行うための基本ソフトウェアであるＢＩＯＳの一部に入出力状態の一つである録画状態を管理する録画表示灯制御手段を設けているので、この録画表示灯制御手段が、オペレーティングシステムや、当該オペレーティングシステムの上で稼働するアプリケーションの起動、終了、異常終了等の影響を受けることがない。このため、たとえば、放送やネットワークから受信した複数の映像情報を外部記憶装置に並行して録画する場合に、個々の録画の実行中の有無を録画表示灯の点灯および消灯にて確実に表示することができる。
【００１６】
また、情報処理装置で複数の仮想システムを稼働させる場合でも、ＢＩＯＳは、これらの仮想システムから独立した存在であるため、個々の仮想システムの起動、終了、異常終了等に影響されることなく、ＢＩＯＳ内に設けられた録画表示灯制御手段にて、複数の並行した録画操作の可視化表示を正確に行うことができる。
【発明の効果】
【００１７】
本発明によれば、情報処理装置の動作状態等に影響されることなく、複数の並行録画における、表示灯による録画状態の可視化表示を正確に行うことが可能となる。
また、仮想システムが稼働する情報処理装置において、複数の並行録画における、表示灯による録画状態の可視化表示を正確に行うことが可能となる。
【発明を実施するための最良の形態】
【００１８】
以下、図面を参照しながら、本発明の実施の形態について詳細に説明する。
図１は、本発明の一実施の形態である情報処理装置の構成の一例を示すブロック図であり、図２は、そのソフトウェア構成の一例を示す概念図である。
【００１９】
本実施の形態の情報処理装置１００は、たとえば、据え置きタイプまたは、持ち運び可能なタイプのパーソナルコンピュータである。そして、このパーソナルコンピュータに、後述のようにして、放送受信機能や、受信した放送を録画する録画機能が備えられている。
【００２０】
この情報処理装置１００は、ＣＰＵ１０１、主記憶１０２、第１ブリッジ回路１０３、グラフィックコントローラ１０４、ディスプレイ１０５、ＲＯＭ１０６、第２ブリッジ回路１０７、外部記憶装置１０８（録画手段）、ユーザ入力装置１０９、拡張バススロット１１０、汎用入出力回路１１１、録画ＬＥＤ１１２（録画表示灯）、等のハードウェアを含んでいる。
【００２１】
主記憶１０２、グラフィックコントローラ１０４は、第１ブリッジ回路１０３を介してＣＰＵ１０１に接続されている。
また、ＲＯＭ１０６、外部記憶装置１０８、ユーザ入力装置１０９、拡張バススロット１１０、汎用入出力回路１１１は、第２ブリッジ回路１０７を介して相互に接続され、さらに第１ブリッジ回路１０３を介してＣＰＵ１０１、主記憶１０２、グラフィックコントローラ１０４に接続されている。
【００２２】
ＣＰＵ１０１は、主記憶１０２や、後述のＲＯＭ１０６内のプログラムを実行することで情報処理装置１００の動作を制御する。
主記憶１０２は、ＤＲＡＭ等の記憶媒体で構成され、ＣＰＵ１０１がアクセスするプログラムやデータが格納される。本実施の形態の場合、主記憶１０２には、オペレーティングシステム１０と、このオペレーティングシステム１０の制御下で稼働するアプリケーションプログラム２０が実装されている。
【００２３】
第１ブリッジ回路１０３は、当該第１ブリッジ回路１０３に接続されたＣＰＵ１０１、主記憶１０２、グラフィックコントローラ１０４、および第２ブリッジ回路１０７の相互間における情報転送を制御する。
【００２４】
グラフィックコントローラ１０４は、第１ブリッジ回路１０３を介したＣＰＵ１０１からの指令に基づいてディスプレイ１０５に画像や映像を表示する。
ディスプレイ１０５は、たとえば液晶ディスプレイで構成され、グラフィックコントローラ１０４から入力される情報の可視化表示を行う。また、ディスプレイ１０５には、音響出力を行う図示しないスピーカが備えられている。
【００２５】
ＲＯＭ１０６は、たとえば、不揮発で、書き換え可能な一括消去型ＥＥＰＲＯＭ等の記憶媒体で構成されている。このＲＯＭ１０６には、情報処理装置１００の上述のハードウェアの初期化や制御を行うための基本ソフトウェアであるＢＩＯＳ３０が格納されている。
【００２６】
第２ブリッジ回路１０７は、当該第２ブリッジ回路１０７に接続されたＲＯＭ１０６、外部記憶装置１０８、ユーザ入力装置１０９、拡張バススロット１１０、汎用入出力回路１１１、および第１ブリッジ回路１０３の相互間における情報転送を制御する。
【００２７】
外部記憶装置１０８は、たとえば、不揮発性の記憶媒体を備えたＨＤＤ（Hard Disk Drive）等の記憶装置からなる。この外部記憶装置１０８には、主記憶１０２に実装されるオペレーティングシステム１０、アプリケーションプログラム２０が格納され、必要に応じて主記憶１０２にロードされる。
【００２８】
また、外部記憶装置１０８には、オペレーティングシステム１０が情報処理装置１００の管理するための情報が集中して格納された図示しないレジストリ等の管理データベースも格納されている。
【００２９】
本実施の形態の場合には、この外部記憶装置１０８には、後述の録画データ１３１も格納される。
ユーザ入力装置１０９は、キーボード、マウス、マイクロフォン等の情報入力装置で構成され、情報処理装置１００に対してユーザがコマンドや情報を入力するために用いられる。
【００３０】
拡張バススロット１１０は、たとえばＰＣＩバス（Peripheral Components Interconnect bus）等のバス規格に準拠した周辺機器を接続するための接続手段を提供する。本実施の形態の場合、この拡張バススロット１１０には、後述の放送受信カード１２０、ＬＡＮカード１４０等の周辺機器が接続されている。
【００３１】
汎用入出力回路１１１は、ＣＰＵ１０１の指令に基づいて、録画ＬＥＤ１１２の点灯、消灯を制御する。すなわち、第２ブリッジ回路１０７には、汎用入出力レジスタ１１１ａが設けられており、この汎用入出力レジスタ１１１ａに設定されるデータに応じて、汎用入出力回路１１１は、録画ＬＥＤ１１２の点灯、消灯を制御する。
【００３２】
録画ＬＥＤ１１２は、汎用入出力回路１１１から制御されることによって、光１１３の放射（点灯）、放射停止（消灯）を行う。
放送受信カード１２０は、拡張バススロット１１０に装着される周辺機器であり、図示しないチューナおよびアンテナ１２１を介して放送データ１３０を受信する動作を行う。
【００３３】
ＬＡＮカード１４０は、拡張バススロット１１０に装着される周辺機器であり、情報処理装置１００を、無線電波やケーブル等のＬＡＮ媒体１４１に接続するためのＬＡＮ（Local Area Network）インタフェースを実現する。
【００３４】
なお、放送データ１３０は、電波として放送受信カード１２０から受信することに限らず、ＬＡＮ媒体１４１から通信情報としてＬＡＮカード１４０を経由して受信することもできる。
【００３５】
図２は、本実施の形態の情報処理装置１００におけるソフトウェア構成の一例を示す概念図である。
情報処理装置１００を構成するハードウェアの上に、当該ハードウェアの初期化や制御を行うためのプログラム群からなるＢＩＯＳ３０が存在し、このＢＩＯＳ３０の上に、オペレーティングシステム１０と、このオペレーティングシステム１０の配下で稼働するアプリケーションプログラム２０が存在する。
【００３６】
ＢＩＯＳ３０には、たとえば、第１ブリッジ回路１０３、第２ブリッジ回路１０７、主記憶１０２等のハードウェアの初期化や制御を行うプログラム、情報処理装置１００の全体の消費電力の最小化を実現するためのプログラム、稼働中に拡張バススロット１１０に挿抜される周辺機器の自動認識（Plug & Play）を実現するプログラム、等のソフトウェアが実装されている。
【００３７】
ＢＩＯＳ３０は、不揮発性のＲＯＭ１０６に格納されているため、情報処理装置１００の電源投入、電源切断、異常終了、等の影響を受けない。
本実施の形態の場合、ＢＩＯＳ３０の一部に、録画ＬＥＤ１１２の点灯／消灯を制御するための録画ＬＥＤ制御プログラム３１（録画表示灯制御手段）と、この録画ＬＥＤ制御プログラム３１が用いるカウンタ３２（録画表示灯制御手段）が存在する。
【００３８】
この場合、ＢＩＯＳ３０の録画ＬＥＤ制御プログラム３１およびカウンタ３２は、オペレーティングシステム１０から独立しているため、当該オペレーティングシステム１０や、その配下で稼働するアプリケーションプログラム２０の起動、終了、異常終了等の影響を受けない。
【００３９】
オペレーティングシステム１０は、たとえばドライバプログラム１１と、電力管理プログラム１２を含んでいる。
ドライバプログラム１１は、アプリケーションプログラム２０がハードウェアを利用するための制御インタフェースを提供するソフトウェアである。
【００４０】
電力管理プログラム１２は、情報処理装置１００の省電力を実現するための電源管理を行うＡＣＰＩ（Advanced Configuration and Power Interface）等のソフトウェアからなる。
【００４１】
本実施の形態の場合、アプリケーションプログラム２０は、たとえば、放送受信プログラム２１および録画制御プログラム２２（録画制御手段）を含んでいる。
放送受信プログラム２１は、ユーザ入力装置１０９を介したユーザからの指示により、上述の放送受信カード１２０の受信チャネルの選択、放送データ１３０の復号処理等を制御し、放送データ１３０を受信して、受信内容を、ディスプレイ１０５に映像や音声として出力する。
【００４２】
録画制御プログラム２２は、ユーザ入力装置１０９を介したユーザの指示や予約情報等に基づいて、放送受信カード１２０が受信した放送データ１３０を、録画データ１３１として外部記憶装置１０８に録画する処理を行う。
【００４３】
本実施の形態の場合、放送受信カード１２０は、複数のチャネルから異なる放送データ１３０を並行して受信できる。これに対応して、録画制御プログラム２２は、複数の放送データ１３０の各々を、並行して任意の開始および終了時刻を設定して並行して録画する機能を備えている。
【００４４】
ＢＩＯＳ３０に設けられた録画ＬＥＤ制御プログラム３１は、録画制御プログラム２２からの録画開始の通知を契機として、汎用入出力レジスタ１１１ａに点灯指示データを設定し、汎用入出力回路１１１を介して録画ＬＥＤ１１２を点灯させることで、ユーザに録画中であることを知らせる。また、録画終了の通知を契機として汎用入出力レジスタ１１１ａに消灯指示データを設定し、録画ＬＥＤ１１２を消灯させることで、ユーザに録画が終了したことを知らせる動作を行う。
【００４５】
ただし、開始時刻や終了時刻が異なる複数の録画処理に対応して、一つでも録画が進行中の場合には、録画ＬＥＤ１１２を点灯させ、全ての録画が完了した時点で録画ＬＥＤ１１２を消灯させる制御を実現するため、ＢＩＯＳ３０内に設けられたカウンタ３２を用いる。
【００４６】
すなわち、図３に例示されるように、録画ＬＥＤ制御プログラム３１は、０に初期化されたカウンタ３２に対して、録画制御プログラム２２から録画開始の通知を受ける都度、当該カウンタ３２をインクリメントし、録画終了の通知を受ける都度、デクリメントする。
【００４７】
そして、カウンタ３２の値が０以下の時は録画ＬＥＤ１１２を消灯させるとともに、カウンタ３２の値を０に初期化し、カウンタ３２の値が１以上の場合に、録画ＬＥＤ１１２を点灯させる。
【００４８】
これにより、たとえば、開始時刻と終了時刻の異なる複数の録画データ１３１の各々に対応した録画処理Ｒ１、録画処理Ｒ２、録画処理Ｒ３が、一部重複しながら並行して実行された場合でも、一つでも録画中の場合には、録画ＬＥＤ１１２が確実に点灯し、すべての録画処理が終了した時点で録画ＬＥＤ１１２を消灯させることができる。
【００４９】
図４は、この場合の、ＢＩＯＳ３０における録画ＬＥＤ制御プログラム３１の動作の一例を示すフローチャートである。
ＢＩＯＳ３０の録画ＬＥＤ制御プログラム３１は、情報処理装置１００に対して電源投入またはレジューム（休止状態からの復帰）が発生すると（ステップ２０１）、ＢＩＯＳ３０内に設けられたカウンタ３２を０に初期化する（ステップ２０２）。
【００５０】
その後、録画制御プログラム２２からの録画開始の通知の有無を調べ（ステップ２０３）、録画開始が検出された場合には、カウンタ３２をインクリメント（＋１）し（ステップ２０４）、録画ＬＥＤ１１２を点灯させることで、ユーザに録画開始を知らせる（ステップ２０５）。
【００５１】
そして、録画制御プログラム２２からの録画終了の通知の有無を調べ（ステップ２０６）、録画終了が検出されない場合には、ステップ２０３に戻る。
ステップ２０６で録画終了が検出された場合には、カウンタ３２をデクリメント（−１）した後（ステップ２０７）、カウンタ３２の値が０以下か調べ（ステップ２０８）、０以下でない場合には、ステップ２０３に戻る。
【００５２】
これにより、複数の録画処理が実行される場合、一つでも録画処理が行われている限り、録画ＬＥＤ１１２は点灯状態が維持される。
上述のステップ２０８でカウンタ３２の値が０以下の場合には、全ての録画処理が終了したものと見なして、カウンタ３２の値を０に初期化するとともに（ステップ２０９）、録画ＬＥＤ１１２を消灯させる（ステップ２１０）。
【００５３】
そして、情報処理装置１００に対して、ユーザや電力管理プログラム１２等から電源切断またはスタンバイ（休止状態への移行）の実行指示があるか判別し（ステップ２１１）、電源切断またはスタンバイの実行指示がない場合には、上述のステップ２０３に戻る。
【００５４】
ステップ２１１で電源切断またはスタンバイの実行指示があると判定された場合には、情報処理装置１００の電源切断またはスタンバイを実行する（ステップ２１２）。
このように、本実施の形態の場合には、オペレーティングシステム１０やアプリケーションプログラム２０等の動作状態から影響を受けないＢＩＯＳ３０の内部に録画ＬＥＤ制御プログラム３１およびカウンタ３２を設けたので、情報処理装置１００、オペレーティングシステム１０やアプリケーションプログラム２０の起動時、終了時、異常終了時等でも容易かつ確実にカウンタ３２にリセットがかけられ、狂ったカウンタ値がカウンタ３２に残らないので、簡明な制御にて録画表示をする録画ＬＥＤ１１２の異常点灯を防止することができる。
【００５５】
すなわち、カウンタをオペレーティングシステム１０の一部に設ける従来の場合のように、当該カウンタを初期化するための特別なプログラムを、録画ＬＥＤ１１２を管理するソフトウェアとは別に設ける等の煩雑な管理は不要である。
【００５６】
この結果、録画制御プログラム２２による、複数の並行した録画処理における、録画ＬＥＤ１１２による録画中表示を正確に実現できる。
また、一つの情報処理装置１００の上で、オペレーティングシステム１０が同一または異なる複数の仮想システムを並行して稼働させる場合でも、ＢＩＯＳ３０は仮想システムの影響を受けないので、個々の仮想システム上で行われる録画処理に対する録画ＬＥＤ１１２の録画表示を、ＢＩＯＳ３０内の録画ＬＥＤ制御プログラム３１およびカウンタ３２によって正確に管理することができる。
【００５７】
なお、本発明は、上述の実施の形態に例示した構成に限らず、その趣旨を逸脱しない範囲で種々変更可能であることは言うまでもない。
たとえば、録画制御プログラム２２による録画処理では、放送受信カード１２０から受信した放送データ１３０と、ＬＡＮカード１４０から受信した別の放送データ１３０を、複数の録画データ１３１として並行して外部記憶装置１０８に録画してもよい。この場合にも、複数の録画処理を、ＢＩＯＳ３０に設けられた録画ＬＥＤ制御プログラム３１およびカウンタ３２にて正確に管理できる。
【００５８】
また、上述の情報処理装置１００の構成は一例であり、種々変更可能であることは言うまでもない。
また、録画ＬＥＤ１１２を用いて録画処理に対応した録画表示を実現する場合を例示したが、これに限らず、一般の入出力処理の実行中の有無を、ＬＥＤの点灯／消灯で可視化表示する処理にも適用できる。すなわち、放送受信カード１２０またはＬＡＮカード１４０を経由して受信した放送内容を外部記憶装置１０８に記録する録画処理は、情報処理装置１００における入出力の一例である。
【００５９】
（付記１）
受信した放送番組の録画を行う録画手段と、
前記録画が実行中か否かを可視化して表示する録画表示灯と、
ＢＩＯＳ（Basic Input Output System）の一部に設けられ、前記録画表示灯の点灯および消灯を制御する録画表示灯制御手段と、
を含むことを特徴とする情報処理装置。
（付記２）
付記１記載の情報処理装置において、
前記録画表示灯制御手段は、
前記録画手段からの前記録画の開始通知によって１だけ加算され、前記録画の終了通知によって１だけ減算されるカウンタと、
前記カウンタの値が１以上の場合に前記録画表示灯を点灯させ、前記カウンタの値が０以下の場合には、当該カウンタを０に初期化するとともに前記録画表示灯を消灯させる制御論理と、
を含むことを特徴とする情報処理装置。
（付記３）
付記１記載の情報処理装置において、
前記情報処理装置は、放送受信機能を備えたパーソナルコンピュータであることを特徴とする情報処理装置。
（付記４）
受信した放送番組の録画を行う録画手段と、
前記録画が実行中か否かを可視化して表示する録画表示灯と、
ＢＩＯＳ（Basic Input Output System）と、
を含む情報処理装置の制御方法であって、
前記ＢＩＯＳの一部に、前記録画表示灯の点灯および消灯を制御する録画表示灯制御手段を設けるステップと、
前記録画表示灯制御手段が、前記録画手段からの前記録画の開始通知によってカウンタを１だけ加算し、前記録画の終了通知によって前記カウンタを１だけ減算するステップと、
前記録画表示灯制御手段が、前記カウンタの値が１以上の場合に前記録画表示灯を点灯させ、前記カウンタの値が０以下の場合には、当該カウンタを０に初期化するとともに前記録画表示灯を消灯させるステップと、
を含むことを特徴とする情報処理装置の制御方法。
（付記５）
付記４記載の情報処理装置の制御方法において、
前記情報処理装置は、放送受信機能を備えたパーソナルコンピュータであることを特徴とする情報処理装置の制御方法。
（付記６）
情報の入出力を行う入出力手段と、
前記入出力が実行中か否かを可視化して表示する表示灯と、
ＢＩＯＳ（Basic Input Output System）の一部に設けられ、前記表示灯の点灯および消灯を制御する表示灯制御手段と、
を含むことを特徴とする情報処理装置。
（付記７）
付記６記載の情報処理装置において、
前記表示灯制御手段は、
前記入出力手段からの前記入出力の開始通知によって１だけ加算され、前記入出力の終了通知によって１だけ減算されるカウンタと、
前記カウンタの値が１以上の場合に前記表示灯を点灯させ、前記カウンタの値が０以下の場合には、当該カウンタを０に初期化するとともに前記表示灯を消灯させる制御論理と、
を含むことを特徴とする情報処理装置。
（付記８）
付記６記載の情報処理装置において、
前記情報処理装置はパーソナルコンピュータであることを特徴とする情報処理装置。
（付記９）
情報の入出力を行う入出力手段と、
前記入出力が実行中か否かを可視化して表示する表示灯と、
ＢＩＯＳ（Basic Input Output System）と、
を含む情報処理装置の制御方法であって、
前記ＢＩＯＳの一部に、前記表示灯の点灯および消灯を制御する表示灯制御手段を設けるステップと、
前記表示灯制御手段が、前記入出力手段からの前記入出力の開始通知によってカウンタを１だけ加算し、前記入出力の終了通知によって前記カウンタを１だけ減算するステップと、
前記表示灯制御手段が、前記カウンタの値が１以上の場合に前記録画表示灯を点灯させ、前記カウンタの値が０以下の場合には、当該カウンタを０に初期化するとともに前記録画表示灯を消灯させるステップと、
を含むことを特徴とする情報処理装置の制御方法。
（付記１０）
付記９記載の情報処理装置の制御方法において、
前記情報処理装置は、パーソナルコンピュータであることを特徴とする情報処理装置の制御方法。
【図面の簡単な説明】
【００６０】
【図１】本発明の一実施の形態である情報処理装置の構成の一例を示すブロック図である。
【図２】本発明の一実施の形態である情報処理装置におけるソフトウェア構成の一例を示す概念図である。
【図３】本発明の一実施の形態である情報処理装置における録画ＬＥＤ制御プログラムおよびカウンタの作用の一例を示す概念図である。
【図４】本発明の一実施の形態である情報処理装置における録画ＬＥＤ制御プログラムの作用の一例を示すフローチャートである。
【符号の説明】
【００６１】
１０  オペレーティングシステム
１１  ドライバプログラム
１２  電力管理プログラム
２０  アプリケーションプログラム
２１  放送受信プログラム
２２  録画制御プログラム
３０  ＢＩＯＳ
３１  録画ＬＥＤ制御プログラム
３２  カウンタ
１００  情報処理装置
１０１  ＣＰＵ
１０２  主記憶
１０３  第１ブリッジ回路
１０４  グラフィックコントローラ
１０５  ディスプレイ
１０６  ＲＯＭ
１０７  第２ブリッジ回路
１０８  外部記憶装置
１０９  ユーザ入力装置
１１０  拡張バススロット
１１１  汎用入出力回路
１１１ａ  汎用入出力レジスタ
１１２  録画ＬＥＤ
１１３  光
１２０  放送受信カード
１２１  アンテナ
１３０  放送データ
１３１  録画データ
１４０  ＬＡＮカード
１４１  ＬＡＮ媒体
Ｒ１  録画処理
Ｒ２  録画処理
Ｒ３  録画処理
【図１】
2007065932.tif 000003
【図２】
2007065932.tif 000004
【図３】
2007065932.tif 000005
【図４】
2007065932.tif 000006